Podtech/llm-jp-corpus-v4-ja_patent huggingface dataset:
【手続補正書】
【提出日】平成19年6月1日(2007.6.1)
【手続補正１】
【補正対象書類名】特許請求の範囲
【補正対象項目名】全文
【補正方法】変更
【補正の内容】
【特許請求の範囲】
【請求項１】
（ａ）生分解性ポリマーを含むポリマー微粒子と、（ｂ）前記微粒子に吸着された抗原であって、（ｉ）破傷風トキソイドおよびジフテリアトキソイドから選択されるトキソイド抗原、および（ｉｉ）Ｈｉｂ多糖類抗原、多糖類およびポリペプチド領域を備えるＨｉｂ接合抗原、髄膜炎菌多糖類抗原、多糖類およびポリペプチド領域を備える髄膜炎菌接合抗原、肺炎球菌多糖抗原、および多糖類およびポリペプチド領域を備える肺炎球菌接合抗原から選択される多糖類含有抗原の１つ以上から選択される前記抗原、および（ｃ）薬剤的に許容可能な賦形剤とを含む免疫原性組成物。
【請求項２】
前記組成物が破傷風トキソイドおよびジフテリアトキソイドを含む請求項１に記載の免疫原性組成物。
【請求項３】
追加抗原をさらに備える請求項１〜２のいずれかに記載の免疫原性組成物。
【請求項４】
前記追加抗原は微粒子の表面に吸着される請求項３に記載の免疫原性組成物。
【請求項５】
前記追加抗原が微粒子内に取り込まれる請求項３に記載の免疫原性組成物。
【請求項６】
前記追加抗原がポリペプチド含有抗原である請求項３〜５のいずれか１項に記載の免疫原性組成物。
【請求項７】
前記追加抗原は追加の多糖類含有抗原である請求項３〜５のいずれか１項に記載の免疫原性組成物。
【請求項８】
前記追加抗原が追加の接合抗原である請求項３〜５のいずれか１項に記載の免疫原性組成物。
【請求項９】
前記追加抗原がポリヌクレオチド含有抗原である請求項３〜５のいずれか１項に記載の免疫原性組成物。
【請求項１０】
前記追加抗原が腫瘍細胞に由来する請求項３〜５のいずれか１項に記載の免疫原性組成物。
【請求項１１】
前記組成物が破傷風トキソイドおよびジフテリアトキソイドを含み、前記追加抗原が病原体に由来する請求項３〜５のいずれか１項に記載の免疫原性組成物。
【請求項１２】
前記病原体がウイルス、細菌、真菌および寄生虫から選択される請求項１１に記載の免疫原性組成物。
【請求項１３】
前記病原体が、肝炎ウイルス、水痘、ポリオウイルス、はしか、おたふく風邪、風疹、インフルエンザウィルス、髄膜炎菌（Ｎｅｉｓｓｅｒｉａ  ｍｅｎｉｎｇｉｔｉｄｉｓ）、百日咳、ヘモフィルスインフルエンザｂ型（Ｈａｅｍｏｐｈｉｌｕｓ  ｉｎｆｌｕｅｎｚａｅ）、ＨＩＶ、および肺炎連鎖球菌（Ｓｔｒｅｐｔｏｃｏｃｃｕｓ  ｐｎｅｕｍｏｎｉａｅ）から選択される請求項１１に記載の免疫原性組成物。
【請求項１４】
前記病原体が百日咳である請求項１１に記載の免疫原性組成物。
【請求項１５】
前記組成物が肝炎ウイルス抗原を含む請求項１４に記載の免疫原性組成物。
【請求項１６】
前記組成物がヘモフィルスインフルエンザｂ型抗原、ポリオウイルス抗原、髄膜炎菌抗原、および肺炎連鎖球菌抗原から選択される抗原を含む請求項１５に記載の免疫原性組成物。
【請求項１７】
前記組成物がヘモフィルスインフルエンザｂ型抗原を含む請求項１４に記載の免疫原性組成物。
【請求項１８】
前記組成物が肝炎ウイルス抗原、ポリオウイルス抗原、髄膜炎菌抗原、および肺炎連鎖球菌抗原から選択される抗原を含む請求項１７に記載の免疫原性組成物。
【請求項１９】
前記組成物がポリオウイルス抗原を含む請求項１４に記載の免疫原性組成物。
【請求項２０】
前記組成物が、肝炎ウイルス抗原、ヘモフィルスインフルエンザｂ型抗原、髄膜炎菌抗原、および肺炎連鎖球菌抗原から選択される抗原を含む請求項１９に記載の免疫原性組成物。
【請求項２１】
前記組成物が髄膜炎菌抗原を含む請求項１４に記載の免疫原性組成物。
【請求項２２】
前記組成物は、肝炎ウイルス抗原、ヘモフィルスインフルエンザｂ型抗原、ポリオウイルス抗原、および肺炎連鎖球菌抗原から選択される抗原含む請求項２１に記載の免疫原性組成物。
【請求項２３】
前記組成物が肺炎連鎖球菌抗原を含む請求項１４に記載の免疫原性組成物。
【請求項２４】
前記組成物は、肝炎ウイルス抗原、ヘモフィルスインフルエンザｂ型抗原、ポリオウイルス抗原、および髄膜炎菌抗原から選択される抗原を含む請求項２３に記載の免疫原性組成物。
【請求項２５】
前記追加抗原が殺傷または減弱化された病原体である請求項１１に記載の免疫原性組成物。
【請求項２６】
前記免疫原性組成物が界面活性剤をさらに含む請求項１〜２５のいずれか１項に記載の免疫原性組成物。
【請求項２７】
前記微粒子が５００ナノメーターから２０ミクロンの間の直径を有する請求項１〜２６のいずれか１項に記載の免疫原性組成物。
【請求項２８】
前記生分解性ポリマーがポリ（α−ヒドロキシ酸）、ポリヒドロキシ酪酸、ポリカプロラクトン、ポリオルトエステル、ポリ無水物、およびポリシアノアクリレートから選択される請求項１〜２７のいずれか１項に記載の免疫原性組成物。
【請求項２９】
前記生分解性ポリマーがポリ（α−ヒドロキシ酸）である請求項１〜２７のいずれか１項に記載の免疫原性組成物。
【請求項３０】
前記生分解性ポリマーが４０：６０から６０：４０の範囲のラクチド：グリコリドモル比を有するポリ（ラクチド−コ−グリコリド）である請求項２９に記載の免疫原性組成物。
【請求項３１】
補助免疫アジュバントをさらに含む請求項１〜３０のいずれか１項に記載の免疫原性組成物。
【請求項３２】
前記補助免疫アジュバントは微粒子の表面に吸着されている請求項３１に記載の免疫原性組成物。
【請求項３３】
前記補助免疫アジュバントは微粒子内に取り込まれている請求項３１の免疫原性組成物。
【請求項３４】
前記補助免疫アジュバントがＣｐＧオリゴヌクレオチド、二本鎖ＲＮＡ、大腸菌易熱性毒素、リポサッカリドフォスフェート化合物、リポサッカリドフォスフェート模倣体、およびスクアレンと、ソルビタンエステルと、ポリオキシエチレンソルビタンエステルとを含むサブミクロン乳剤から選択される請求項３１〜３３のいずれか１項に記載の免疫原性組成物。
【請求項３５】
前記免疫原性組成物は注入可能な組成物である請求項１〜３４のいずれか１項に記載の免疫原性組成物。
【請求項３６】
病原体による感染に対して前記宿主動物を免疫化することにおいて使用するための、請求項１〜３５のいずれか１項に記載の免疫原性組成物。
【請求項３７】
脊椎宿主動物の免疫応答を刺激することにおいて使用するための、請求項１〜３５のいずれか１項に記載の免疫原性組成物。
【請求項３８】
前記脊椎宿主動物がヒトである請求項３６から３７のいずれか１項に記載の免疫原性組成物。
【請求項３９】
（ａ）水、有機溶媒、および生分解性ポリマーを含む水中油中水型乳剤を形成する工程と、（ｂ）前記乳剤から有機溶媒を除去し、前記ポリマー微粒子を形成する工程と、（ｃ）トキソイド抗原および多糖類含有抗原から選択された１つ以上の抗原を前記微粒子に吸着させる工程とを含む請求項１〜３５のいずれか１項に記載の微粒子組成物を製造する方法。
【請求項４０】
前記乳剤はアニオン界面活性剤をさらに含む請求項３９に記載の方法。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
被験体由来の前駆細胞および／または幹細胞を動員および収集するための方法において使用するための薬学的組成物であって、該組成物は、該被験体において該前駆細胞および／または幹細胞の集団を増大させるために有効な量の、式
Ｚ−リンカー−Ｚ’  （１）
の化合物またはこれらの薬学的に受容可能な塩もしくはプロドラッグ形態を含み、
ここで、Ｚは、式
【化１】
2006526646.tif 000001
であり、
ここで、Ａは、少なくとも１個のＮを含む単環式または二環式の縮合環系を含み、Ｂは、Ｈまたは１〜２０個の原子の有機部分であり、
Ｚ’は、式
−Ａｒ（Ｙ）ｊであり；
ここで、Ａｒは、芳香族部分または複素芳香族部分であり、各Ｙは、独立に非妨害性置換基であり、ｊは、０〜３であり；そして
「リンカー」は、結合、アルキレン（１−６Ｃ）を示し、あるいはアルキレン鎖に含まれるアリール、縮合アリール、および／または酸素原子を含み得るか、あるいはケト基または窒素原子もしくはイオウ原子を含み得る；
組成物。
【請求項２】
請求項１に記載の組成物であって、ここで前記化合物は、以下の式：
【化２】
2006526646.tif 000002
ならびにこれらの塩およびプロドラッグ形態であり、
ここで：
環Ａは、必要に応じて、Ｎ，ＯおよびＳから選択されるヘテロ原子を含み；
破線は、任意の不飽和を表し；
Ｒ１、Ｒ２およびＲ３は、非妨害性置換基であり；
ｋは、０〜４であり；
ｌは、０，１，または２であり；
Ｘは、非置換または置換のＣまたはＮであるか；または、ＯもしくはＳであり；
Ａｒは、芳香族部分または複素芳香族部分の残基であり；
各ｎは、独立に、０〜２であり；
各Ｒは、独立に、Ｈまたはアルキル（１−６Ｃ）であり；
ｊは、０〜３であり；そして
各Ｙは、独立に、ハロ、ＯＨ、ＳＨ、ＳＯ、ＳＯ２、またはＮを含まない１〜２０個のＣ原子の有機部分であり、ここで、２つのこのようなＹは、Ａｒと縮合環を形成するように結合されるか、または以下：
−（ＣＲ２）ｍＣＮ、
−（ＣＲ２）ｍＮＲ５２、
−（ＣＲ２）ｍＮＲ（ＣＲ２）ｍＮＲＲ４、
−（ＣＲ２）ｍＮＲ（ＣＲ２）ｍＮＲ（ＣＲ２）ｍＮＲ５２、
−（ＣＲ２）ｍＣＯ（ＣＲ２）ｍＮＲ５２、
−（ＣＲ２）ｍＣＯ（ＣＲ２）ｍＮＲ（ＣＲ２）ｍＮＲＲ４、
−（ＣＲ２）ｍＣＯ（ＣＲ２）ｍＮＲ（ＣＲ２）ｍＮＲ（ＣＲ２）ｍＮＲ５２、
−（ＣＲ２）ｍＮＲＣＯ（ＣＲ２）ｍＮＲＲ４、
−（ＣＲ２）ｍＮＲＣＯ（ＣＲ２）ｍＮＲ（ＣＲ２）ｍＮＲ５２、
−（ＣＲ２）ｍＮＲＣＯ（ＣＲ２）ｍＮＲ（ＣＲ２）ｍＮＲ（ＣＲ２）ｍＮＲ（ＣＲ２）ｍＮＲ５２、
−ＣＨ＝Ｎ−Ｚ’’
−（ＣＲ２）ｍＺ’’
−ＮＲ（ＣＲ２）ｍＺ’’
−（ＣＲ２）ｍＮＲＯＨ、
（ＣＲ２）ｍＣＯＮＲＯＨ、および
（ＣＲ２）ｍＣＲ＝ＮＯＨ
からなる群より選択され、
ここで、Ｚ’’は、必要に応じて、５〜１２個の環メンバーを含む置換された、芳香族部分または複素芳香族部分であり；そして
Ｒは、上で規定されるとおりであり、各ｍは、独立に、０〜４であり、Ｒ４および各Ｒ５は、独立に、１つ以上の非芳香族の非複素環式置換基によって各々必要に応じて置換された、Ｈ、アルキル（１−６Ｃ）、アルケニル（１−６Ｃ）、アルキニル（１−６Ｃ）、またはアシル（１−６Ｃ）であり、ここで、２つのＲ５は、Ｎ，Ｏ、およびＳから選択される１つ以上のさらなるヘテロ原子を必要に応じて含む環式アミンを形成するように結合され得る、組成物。
【請求項３】
Ｒ２およびＲ３が、一緒になってベンゾ置換基を形成する、そして／または
Ｘが、Ｎであり、環Ｅが、１個のＮにカップリングされたπ結合を含む、そして／または
環Ａが、飽和であり、ｌが１である、そして／または
環ｋが、０〜１である、
請求項２に記載の組成物。
【請求項４】
Ａを含む前記環系が、テトラヒドロキノリンまたはこの置換形態である、請求項３に記載の組成物。
【請求項５】
（ＣＲ２）ａｎおよび（ＣＲ２）ｂｎのうちの１つが、ＣＨ２であり、他方が、結合である、請求項２に記載の組成物。
【請求項６】
（ＣＲ２）ａｎが、結合であり、（ＣＲ２）ｂｎが、ＣＨ２である、請求項５に記載の組成物。
【請求項７】
少なくとも１つのＹが、−ＣＨ２ＮＨ２である、請求項２に記載の組成物。
【請求項８】
Ａｒが、ベンゼン、ベンゾイミダゾール、ベンゾチアゾール、イミダゾール、オキサゾール、ベンゾトリアゾール、チアゾール、ピリジン、またはピリミジンの二価の残基である、請求項２に記載の組成物。
【請求項９】
Ａｒが、ベンゼンの二価の残基である、請求項８に記載の組成物。
【請求項１０】
式（１）が、その酸付加塩の形態である、請求項１〜９のいずれか１項に記載の組成物。
【請求項１１】
前記被験体が、化学療法または放射線療法からの造血不足を示すか；または
前記被験体が、再生不良性貧血、白血病および薬物誘導性貧血からなる群より選択される状態を有するか；または
前記被験体が、移植レシピエントであるか；または
前記被験体が、健康な幹細胞ドナーであるか；または
前記被験体が、創傷治癒を要するか；または
前記被験体が、細菌性炎症の寛解を要するか；または
前記被験体が、損傷した臓器組織の復旧を要する、
請求項１〜９のいずれか１項に記載の組成物。
【請求項１２】
請求項１〜１１のいずれか１項に記載の組成物であって、顆粒球マクロファージコロニー刺激因子（ＧＭ−ＣＳＦ）、インターロイキン−１（ＩＬ−１）、インターロイキン−３（ＩＬ−３）、インターロイキン−８（ＩＬ−８）、ＰＩＸＹ−３２１（ＧＭ−ＣＳＦ／ＩＬ−３融合タンパク質）、マクロファージ炎症タンパク質、幹細胞因子、トロンボポエチン、および／または増殖関連癌遺伝子をさらに含む、組成物。
【手続補正書】
【提出日】平成19年5月23日(2007.5.23)
【手続補正１】
【補正対象書類名】特許請求の範囲
【補正対象項目名】全文
【補正方法】変更
【補正の内容】
【特許請求の範囲】
【請求項１】
HSP90インヒビター及び酵素インヒビターを組み合わせたことを特徴とする乳癌治療用医薬組成物。
【請求項２】
HSP90インヒビターを酵素インヒビターの後に投与する、請求項１に記載の医薬組成物。
【請求項３】
HSP90インヒビターがゲルダナマシシン又はゲルダナマイシン誘導体である、請求項２に記載の医薬組成物。
【請求項４】
HSP90インヒビターがゲルダナマイシン誘導体であり、その誘導体が17-AAGである、請求項３に記載の医薬組成物。
【請求項５】
酵素インヒビターがSAHA又はイレッサである、請求項４に記載の医薬組成物。
【請求項６】
HSP90インヒビター及び酵素インヒビターを組み合わせたことを特徴とする結腸直腸癌治療用医薬組成物。
【請求項７】
HSP90インヒビターを酵素インヒビターの後に投与する、請求項６に記載の医薬組成物。
【請求項８】
HSP90インヒビターがゲルダナマイシン誘導体であり、その誘導体が17-AAGである、請求項７に記載の医薬組成物。
【請求項９】
酵素インヒビターがイレッサである、請求項８に記載の医薬組成物。
【請求項１０】
酵素インヒビターがヒストン脱アセチラーゼインヒビターである、請求項１に記載の医薬組成物。
【請求項１１】
酵素インヒビターがチロシンキナーゼヒンヒビターである、請求項１に記載の医薬組成物。
【請求項１２】
酵素インヒビターがチロシンキナーゼインヒビターである、請求項６に記載の医薬組成物。
【請求項１３】
HSP90インヒビターが17-AAGであり、17-AAG及び酵素インヒビターの投与を週に1回行う、請求項１に記載の医薬組成物。
【請求項１４】
HSP90インヒビターが17-AAGであり、17-AAG及び酵素インヒビターの投与を週に2回行う、請求項１に記載の医薬組成物。
【請求項１５】
HSP90インヒビターが17-AAGであり、17-AAG及び酵素インヒビターの投与を週に1回行う、請求項６に記載の医薬組成物。
【請求項１６】
HSP90インヒビターが17-AAGであり、17-AAG及び酵素インヒビターの投与を週に2回行う、請求項６に記載の医薬組成物。
【請求項１７】
17-AAGの治療量が50mg/m2〜450mg/m2である、請求項１３に記載の医薬組成物。
【請求項１８】
17-AAGの治療量が50mg/m2〜250mg/m2である、請求項１４に記載の医薬組成物。
【手続補正書】
【提出日】平成19年5月28日(2007.5.28)
【手続補正１】
【補正対象書類名】特許請求の範囲
【補正対象項目名】全文
【補正方法】変更
【補正の内容】
【特許請求の範囲】
【請求項１】
下記の式を有する化合物を含む同位体標識試薬：
L-(aCbH2)naCbH3         (I)
(式中、aは、各々の態様において、独立に、包括的に11〜14の炭素質量数であり、bは、各々の態様において、独立に、包括的に1〜3の水素質量数であるが、どの態様のaおよびどの態様のbも同時に12および1ではなく；Lは、離脱基 R1SO2-O-、R1-S-、12C1H3(12C1H2)n-S-R1C(O)O-、NC-、(R1)3P-、XMg- および Li-であり；nは、包括的に0〜3の整数であり；Xは、クロロ、ブロモまたはヨウ素であり；R1は、H、アリール、アリールを含有する置換基、C1〜C20アルキル、C1〜C20アルキルを含有する置換基、C2〜C20アルケニル、C2〜C20アルケニルを含有する置換基、C2〜C20アルキニル、およびC2〜C20アルキニルを含有する置換基であるが、nが0である場合は、aは13であり、bは2であり、R1-S中のR1はアリールではないことを条件とする)。
【請求項２】
全ての場合において、nが0であり、aが12であり、bが3であり、前記離脱基が、R1C(O)O-又は(C6H5)3P-である、請求項１記載の試薬。
【請求項３】
前記離脱基が、R1SO2-O-である、請求項１記載の試薬。
【請求項４】
R1が、アリールである、請求項３記載の試薬。
【請求項５】
R1が、アリールを含有する前記置換基である、請求項３記載の試薬。
【請求項６】
R1が、パラ-CH3C6H5又はパラ-NO2-C6H5である、請求項５記載の試薬。
【請求項７】
前記置換基が、アルキル、アミノ、シクロアルキル、ハロ、ニトロ、シアノ、-OR2、アシル、および -COOR3からなる群から選ばれる、請求項１記載の試薬。
【請求項８】
前記置換基が、染料成分をさらに含む、請求項７記載の試薬。
【請求項９】
前記染料成分が、シアニンおよびローダミンからなる群から選ばれる、請求項８記載の試薬。
【請求項１０】
少なくとも１つの態様におけるbが1であり、同時に、少なくとも１つの態様におけるbが3である、請求項１記載の試薬。
【請求項１１】
nが0である、請求項１記載の試薬。
【請求項１２】
R1が、フェニル、または前記置換基の１つを有するフェニルである、請求項２記載の試薬。
【請求項１３】
R1が、C1〜C6アルキルである、請求項２記載の試薬。
【請求項１４】
aCbH3(aCbH2)nXを[L]y-Mz+pまたはMgと反応させる工程を含み(上記式中、Lは、離脱基 R1SO2-O-、R1-S-、12C1H3(12C1H2)n-S-、R1C(O)O-、NC-、(R1)3P-、XMg- および Li-であり；Mは、金属イオンまたはオニウムイオンであり；Z+は、Mのカチオン価であり；Y-は、Lのアニオン価であり；Pは、前記カチオン価で除したイオン価の絶対値である)、反応が非プロトン性溶媒中の無水条件下に生じることを特徴とする式(I)の化合物の調製方法。
【請求項１５】
aCbH3(aCbH2)nXを[L]y-Mz+P試薬と反応させる、請求項１４記載の方法。
【請求項１６】
前記反応工程が、前記非プロトン性溶媒の沸騰温度以下の温度に加熱することによって生じる、請求項１４記載の方法。
【請求項１７】
aCbH3(aCbH2)nXを12C3H3Iと反応させる、請求項１４記載の方法。
【請求項１８】
反応条件下に、ターゲット分子と有効量の請求項１、２、３、７、８、９、１０又は１１のいずれか１項記載の式(I)の化合物と混合することを特徴とする、ターゲット分子の同位体アルキル化方法。
【請求項１９】
前記ターゲット分子が、求核試薬である、請求項１８記載の方法。
【請求項２０】
前記ターゲット分子が、有機アニオンの金属塩である、請求項１８記載の方法。
【請求項２１】
前記ターゲット分子が、第三級アミンである、請求項１８記載の方法。
【請求項２２】
前記式(I)の化合物がXMg-であり；nは、包括的に0〜3の整数であり；Xは、クロロ、ブロモまたはヨウ素であり；R1は、H、アリール、アリールを含有する置換基、C1〜C20アルキル、C1〜C20アルキルを含有する置換基、C2〜C20アルケニル、C2〜C20アルケニルを含有する置換基、C2〜C20アルキニル、およびC2〜C20アルキニルを含有する置換基であるが、nが0である場合は、aは13であり、bは2であり、R1-S中のR1はアリールではないことを条件とし；前記ターゲット分子がカルボン酸、エステルまたはアミドである、請求項１８記載の方法。
【請求項２３】
ターゲット分子を同位体標識するための、請求項１、２、３、７、８、９、１０又は１１のいずれか１項記載の式(I)の化合物の使用。
【請求項２４】
請求項１４記載の方法によって得られた請求項１記載の化合物。
【請求項２５】
請求項１記載の式(I)の化合物を、その同位体標識アルキル化試薬としての使用のための使用説明書と一緒に含む、商業用パッケージ。
【誤訳訂正書】
【提出日】平成18年11月27日(2006.11.27)
【誤訳訂正１】
【訂正対象書類名】明細書
【訂正対象項目名】００３７
【訂正方法】変更
【訂正の内容】
【００３７】
錠剤、トローチ、丸薬、カプセル、およびそれらの類似物は、以下を含むこともできる。すなわち、トラガカントゴム、アラビアゴム（acasia）、コーンスターチ、もしくはゼラチンなどの糊剤、ならびに、リン酸水素カルシウムなどの賦形剤、ならびに、コーンスターチ、馬鈴薯デンプン、アルギニン酸およびそれらの類似物などの崩壊剤（disintegrating agent）、ならびに、ステアリン酸マグネシウムなどの滑沢剤（lubricant）。また、蔗糖、果糖、乳糖、もしくはアスパルテームなどの甘味料、または、ペパーミント、冬緑油、もしくはチェリーフレーバーなどの香料を添加することもできる。剤型単位がカプセルである際には、上述した物質を添加した上で、植物油もしくはポリエチレングリコールなどの液体担体を含むことができる。その他さまざまな物質を、コーティングとして、あるいは固形剤型単位の物理的形状を変更するために使うことができる。一例として、錠剤、丸薬、もしくはカプセルは、ゼラチン、ワックス、シェラックワニス、もしくは糖類、ならびにそれらの類似物でコートすることができる。シロップもしくはエリキシル剤は、活性化合物、甘味料としての蔗糖もしくは果糖、保存料としてのメチルパラベンもしくはプロピルパラベン、着色料、ならびに、チェリーフレーバーもしくはオレンジフレーバーなどの香料、を含むことができる。任意の剤型単位を調製するにあたって使用する任意の物質は、当然ながら薬学的に許容されるものであって、使用する量において実質的に無毒であるものとするべきである。加えて、活性化合物は、徐放性製剤、またはパッチ、輸液ポンプ、もしくは移植型デポーなどの装置に組み込むことができる。
【手続補正書】
【提出日】平成19年5月9日(2007.5.9)
【手続補正１】
【補正対象書類名】特許請求の範囲
【補正対象項目名】全文
【補正方法】変更
【補正の内容】
【特許請求の範囲】
【請求項１】
膨潤性粘着ポリマー、
膨潤剤、および
漢方薬
を含む親水性粘着組成物であって、
膨潤性粘着ポリマーは、膨潤剤の存在下で感圧粘着剤を形成し、かつ、
漢方薬は、水単独より膨潤剤に高い溶解性を示す親水性粘着組成物。
【請求項２】
改質ポリマーをさらに含む粘着組成物であって、改質ポリマーと膨潤剤は組成物の凝集性を少なくとも維持する請求項１に記載の粘着組成物。
【請求項３】
改質ポリマーは、ポリサッカリド、ポリサッカリド誘導体、アクリレート、アクリレート誘導体、コラーゲン、コラーゲン誘導体、セルロース、セルロース誘導体、ポリビニルアルコールおよびこれらの組み合わせを含む請求項２に記載の粘着組成物。
【請求項４】
（ａ）未架橋または部分的に架橋した膨潤性粘着ポリマーの前駆体を膨潤剤および改質ポリマーと混合すること、および
（ｂ）膨潤性粘着ポリマーの前駆体にガンマ線を照射して前駆体を架橋させ、請求項２に記載の組成物を提供すること
を含む請求項２に記載の粘着組成物の製造方法。
【請求項５】
（ａ）膨潤性粘着ポリマーの前駆体にガンマ線を照射して前駆体を架橋させること、および
（ｂ）架橋した膨潤性粘着ポリマーを膨潤剤および改質ポリマーと混合して、請求項２に記載の組成物を提供すること
を含む請求項２に記載の粘着組成物の製造方法。
【手続補正書】
【提出日】平成19年5月24日(2007.5.24)
【手続補正１】
【補正対象書類名】特許請求の範囲
【補正対象項目名】全文
【補正方法】変更
【補正の内容】
【特許請求の範囲】
【請求項１】
高眼圧または緑内障を処置する方法であって、高眼圧または緑内障の動物に処置有効量の式I：
【化１】
2006526638.tif 000001
［式中、
陰影線はα配置を表し、三角形の線はβ配置を表し、波線はα配置またはβ配置を表し、点線は二重結合の存在または不存在を表し；
Dは、共有結合、またはCH2、O、SまたはNHを表し；
Xは、CO2R、CONR2、CH2OR、P（O）（OR）2、CONRSO2R、SONR2または
【化２】
2006526638.tif 000002
であり；
Yは、
【化３】
2006526638.tif 000003
であり；
Zは、CH2または共有結合であり；
Rは、HまたはR2であり；
R１は、H、R2、フェニルまたはCOR2であり；
R2は、C1〜C5低級アルキルまたはアルケニルであり；
R3は、R2、フェニル、チエニル、フラニル、ピリジル、ベンゾチエニル、ベンゾフラニル、ナフチル、およびそれらの置換誘導体から成る群から選択され、該置換基は、C1〜C5アルキル、ハロゲン、CF3、CN、NO2、NR2、CO2RおよびORから成る群から選択される］
で示される化合物を投与することを含んで成る方法。
【請求項２】
化合物は式II：
【化４】
2006526638.tif 000004
で示される請求項１に記載の方法。
【請求項３】
Zが共有結合である請求項１に記載の方法。
【請求項４】
DがCH2である請求項１に記載の方法。
【請求項５】
XがCO2Rである請求項１に記載の方法。
【請求項６】
RがHおよびエチルから成る群から選択される請求項５に記載の方法。
【請求項７】
RがHまたはC1〜C5アルキルである請求項５に記載の方法。
【請求項８】
R1がHである請求項１に記載の方法。
【請求項９】
R3が、フェニル、クロロフェニルおよびトリフルオロメチルフェニルから成る群から選択される請求項１に記載の方法。
【請求項１０】
化合物が、
（4-｛（R）-2-［4-（3-クロロフェニル）-3-ヒドロキシ-ブチル］-5-オキソ-ピロリジン-1-イル｝-ブトキシ）-酢酸；および
（4-｛（R）-2-［（E）-4-（3-クロロフェニル）-3-ヒドロキシ-ブタ-1-エニル］-5-オキソ-ピロリジン-1-イル｝-ブトキシ）-酢酸
から成る群から選択される請求項１に記載の方法。
【請求項１１】
処置有効量の式I：
【化５】
2006526638.tif 000005
［式中、
陰影線はα配置を表し、三角形の線はβ配置を表し、波線はα配置またはβ配置を表し、点線は二重結合の存在または不存在を表し；
Dは、共有結合、またはCH2、O、SまたはNHを表し；
Xは、CO2R、CONR2、CH2OR、P（O）（OR）2、CONRSO2R、SONR2または
【化６】
2006526638.tif 000006
であり；
Yは、
【化７】
2006526638.tif 000007
であり；
Zは、CH2または共有結合であり；
Rは、HまたはR2であり；
R１は、H、R2、フェニルまたはCOR2であり；
R2は、C1〜C5低級アルキルまたはアルケニルであり；
R3は、R2、フェニル、チエニル、フラニル、ピリジル、ベンゾチエニル、ベンゾフラニル、ナフチル、およびそれらの置換誘導体から成る群から選択され、該置換基は、C1〜C5アルキル、ハロゲン、CF3、CN、NO2、NR2、CO2RおよびORから成る群から選択される］
で示される化合物を、非毒性の眼科的に許容される液体賦形剤と混合して含んで成る、計量適用に好適な容器に充填された眼科用液剤。
【請求項１２】
内容物を計量形態でディスペンスするのに好適な容器：および
該容器中の、請求項１１に記載の眼科用液剤
を含んで成る医薬生成物。
【請求項１３】
式I：
【化８】
2006526638.tif 000008
［式中、
陰影線はα配置を表し、三角形の線はβ配置を表し、波線はα配置またはβ配置を表し、点線は二重結合の存在または不存在を表し；
Dは、共有結合、またはCH2、O、SまたはNHを表し；
Xは、CONR2、CH2OR、P（O）（OR）2、CONRSO2RまたはSONR2であり；
Yは、
【化９】
2006526638.tif 000009
であり；
Zは、CH2または共有結合であり；
Rは、HまたはR2であり；
R１は、H、R2、フェニルまたはCOR2であり；
R2は、C1〜C5低級アルキルまたはアルケニルであり；
R3は、R2、フェニル、チエニル、フラニル、ピリジル、ベンゾチエニル、ベンゾフラニル、ナフチル、およびそれらの置換誘導体から成る群から選択され、該置換基は、C1〜C5アルキル、ハロゲン、CF3、CN、NO2、NR2、CO2RおよびORから成る群から選択される］
で示される、高眼圧または緑内障の処置に有用な化合物。
【請求項１４】
化合物は式II：
【化１０】
2006526638.tif 000010
で示される請求項１３に記載の化合物。
【請求項１５】
Zが共有結合である請求項１３に記載の化合物。
【請求項１６】
DがCH2である請求項１３に記載の化合物。
【請求項１７】
RがHおよびエチルから成る群から選択される請求項１３に記載の化合物。
【請求項１８】
RがHまたはC1〜C5アルキルである請求項１３に記載の化合物。
【請求項１９】
R1がHである請求項１３に記載の化合物。
【請求項２０】
R3が、フェニル、クロロフェニルおよびトリフルオロメチルフェニルから成る群から選択される請求項１３に記載の化合物。
【手続補正書】
【提出日】平成19年5月17日(2007.5.17)
【手続補正１】
【補正対象書類名】特許請求の範囲
【補正対象項目名】全文
【補正方法】変更
【補正の内容】
【特許請求の範囲】
【請求項１】
成形部品のポリカーボネート表面が、火炎処理、コロナまたはプラズマ処理によって処理されることを特徴とする、低吸塵性を有するポリカーボネート成形部品の製造方法。
【請求項２】
ポリカーボネート成形部品の表面が、火炎処理およびシリコン、アルミニウム、チタン、ジルコニウム、錫、インジウムおよび／またはセリウムの酸化化合物から実質的になる層の付着によって、および／または特に上記元素の揮発性化合物および／またはエアロゾルを燃焼ガス／空気混合物に添加することによって形成されることを特徴とする、請求項１記載の方法。
【請求項３】
請求項１〜２いずれかに記載の方法によって得られ得る、ポリカーボネート成形部品の光学用途への使用。
【請求項４】
請求項１〜２いずれかに記載の方法によって得られ得る、プラスチック拡散器（diffuser）。
【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
式Ｉ
【化１】
2006526608.tif 000001
（式中、Ｒ2及びＲ3は、
（ｉ）  Ｒ2がメトキシで、Ｒ3がＨであり；
（ｉｉ）  Ｒ2がＣｌで、Ｒ3がＨである；
からなる群から選択され；
Ｌは、存在しないか、又は−Ｃ（ＣＨ3）Ｈ、−Ｃ（ＣＨ2ＣＨ3）Ｈ、−ＣＨ2−、若しくはＣ1−Ｃ3アルキレンであり；
Ｒ1は、Ｃ3-8シクロアルキル、シクロヘキセニル、ビシクロ［２．２．１］ヘプタニル、４，５又は６員環のヘテロシクロアルキル、デカヒドロ−ナフタレニル、オキセタニル、及びテトラヒドロピラニルからなる群から選択される、場合によって置換されている基であり、そして
場合によって置換されている基は、独立して、Ｃ1−Ｃ4アルキル、メチル、及びＣ2−Ｃ3アルケニルからなる群から選択される１〜３個の基で置換されてもよい）
の化合物、又はその製薬的に許容される塩。
【請求項２】
Ｒ2がメトキシで、Ｒ3が水素である、請求項１に記載の化合物。
【請求項３】
Ｒ1がＣ3-8シクロアルキル、シクロヘキセニル、及びビシクロ［２．２．１］ヘプタニ
ルからなる群から選択される、場合によって置換されている基であり、
場合によって置換されている基は、Ｃ1−Ｃ4アルキル、及びメチルからなる群から独立して選択される１〜３個の基で置換されてもよい、請求項２に記載の化合物。
【請求項４】
化合物は、
３−シクロオクチルオキシ−５−メトキシ−ベンゾフラン−２−カルボン酸（１Ｈ−テトラゾール−５−イル）−アミド、
５−メトキシ−３−（２−メチル−シクロヘキシルオキシ）−ベンゾフラン−２−カルボン酸（１Ｈ−テトラゾール−５−イル）−アミド、
５−メトキシ−３−（２−メチル−シクロペンチルオキシ）−ベンゾフラン−２−カルボン酸（１Ｈ−テトラゾール−５−イル）−アミド、
３−（２，４−ジメチル−シクロペンチルオキシ）−５−メトキシ−ベンゾフラン−２−カルボン酸（１Ｈ−テトラゾール−５−イル）−アミド、
５−メトキシ−３−（３−メチル−ビシクロ［２．２．１］ヘプタ−２−イルメトキシ）−ベンゾフラン−２−カルボン酸（１Ｈ−テトラゾール−５−イル）−アミド、
５−メトキシ−３−（３−メチル−シクロヘキシルオキシ）−ベンゾフラン−２−カルボン酸（１Ｈ−テトラゾール−５−イル）−アミド、
３−（３，５−ジメチル−シクロヘキシルオキシ）−５−メトキシ−ベンゾフラン−２−カルボン酸（１Ｈ−テトラゾール−５−イル）−アミド、
５−メトキシ−３−（２−メチル−シクロヘキシルオキシ）−ベンゾフラン−２−カルボン酸（１Ｈ−テトラゾール−５−イル）−アミド、
３−（１−シクロペンチル−エトキシ）−５−メトキシ−ベンゾフラン−２−カルボン酸（１Ｈ−テトラゾール−５−イル）−アミド、
３−（１−シクロヘキシル−プロポキシ）−５−メトキシ−ベンゾフラン−２−カルボン酸（１Ｈ−テトラゾール−５−イル）−アミド、
３−（３，４−ジメチル−シクロヘキシルオキシ）−５−メトキシ−ベンゾフラン−２−カルボン酸（１Ｈ−テトラゾール−５−イル）−アミド、
３−（３，５−ジメチル−シクロヘキシルオキシ）−５−メトキシ−ベンゾフラン−２−カルボン酸（１Ｈ−テトラゾール−５−イル）−アミド、
３−（デカヒドロ−ナフタレン−２−イルオキシ）−５−メトキシ−ベンゾフラン−２−カルボン酸（１Ｈ−テトラゾール−５−イル）−アミド、
５−メトキシ−３−（１−メチル−シクロメトキシ）−ベンゾフラン−２−カルボン酸（１Ｈ−テトラゾール−５−イル）−アミド、
３−シクロブチルメトキシ−５−メトキシ−ベンゾフラン−２−カルボン酸（１Ｈ−テトラゾール−５−イル）−アミド、
３−シクロヘプチルオキシ−５−メトキシ−ベンゾフラン−２−カルボン酸（１Ｈ−テトラゾール−５−イル）−アミド、
３−シクロヘプチルメトキシ−５−メトキシ−ベンゾフラン−２−カルボン酸（１Ｈ−テトラゾール−５−イル）−アミド、
３−シクロペンチルメトキシ−５−メトキシ−ベンゾフラン−２−カルボン酸（１Ｈ−テトラゾール−５−イル）−アミド、
３−シクロヘキシルオキシ−５−メトキシ−ベンゾフラン−２−カルボン酸（１Ｈ−テトラゾール−５−イル）−アミド、及び
３−シクロヘキシルメトキシ−５−メトキシ−ベンゾフラン−２−カルボン酸（１Ｈ−テトラゾール−５−イル）−アミド、
からなる群から選択される、請求項２に記載の化合物。
【請求項５】
Ｒ2がＣｌで、Ｒ3がＨである、請求項１に記載の化合物。
【請求項６】
Ｒ1が場合によって置換されているＣ3-8シクロアルキルで、
場合によって置換されているＣ3-8シクロアルキルは、Ｃ1−Ｃ4アルキル、及びメチル
からなる群から独立して選択される１〜３個の基で置換されてもよい、請求項５に記載の化合物。
【請求項７】
化合物は、５−クロロ−３−シクロヘプチルオキシ−ベンゾフラン−２−カルボン酸（１Ｈ−テトラゾール−５−イル）−アミドである、請求項５に記載の化合物。
【請求項８】
請求項１〜７のいずれか一項に記載の化合物を含む、ＰＩ３Ｋに仲介される疾患又は症状を治療するための医薬。
【請求項９】
ＰＩ３Ｋに仲介される疾患又は症状は、
関節リウマチ、変形性関節症、乾癬性関節症、乾癬、炎症性疾患、及び自己免疫疾患からなる群から選択される、請求項８に記載の医薬。
【請求項１０】
ＰＩ３Ｋに仲介される疾患又は症状は、
循環器疾患、アテローム硬化症、高血圧症、深部静脈血栓症、脳卒中、心筋梗塞、不安定狭心症、血栓塞栓症、肺塞栓症、血栓性疾患、急性動脈虚血、末梢性血栓閉塞、及び冠動脈疾患からなる群から選択される、請求項８に記載の医薬。
【請求項１１】
ＰＩ３Ｋに仲介される疾患又は症状は、
癌、乳癌、グリア芽細胞種、子宮内膜癌、肝細胞癌、大腸癌、肺癌、黒色腫、腎細胞癌、甲状腺癌、小細胞肺癌、非小細胞肺癌、グリア細胞種、前立腺癌、卵巣癌、子宮頸癌、白血病、細胞リンパ腫、及びリンパ増殖性疾患からなる群から選択される、請求項８に記載の医薬。
【請求項１２】
ＰＩ３Ｋに仲介される疾患又は症状は、
２型糖尿病、呼吸器疾患、気管支炎、喘息、及び慢性閉塞性肺疾患からなる群から選択される、請求項８に記載の医薬。
【請求項１３】
治療的有効量の請求項１〜７のいずれか一項に記載の化合物及び製薬的に許容される担体を含有する医薬組成物。
【手続補正書】
【提出日】平成19年5月30日(2007.5.30)
【手続補正１】
【補正対象書類名】特許請求の範囲
【補正対象項目名】全文
【補正方法】変更
【補正の内容】
【特許請求の範囲】
【請求項１】
溶液中に少なくとも一つのエチレンジアミン四酢酸（ＥＤＴＡ）の塩を含む殺菌組成物であって、
前記少なくとも一つのＥＤＴＡ塩は、少なくとも０．０１％ｗ／ｖであり且つ１５％ｗ／ｖ未満の濃度の四ナトリウムＥＤＴＡを含み、
前記殺菌組成物は広いスペクトルの細菌に対して抗細菌作用を有し、少なくとも９．５のｐＨを有し、そして無菌及び発熱物質を含まない形態で包装される、前記組成物。
【請求項２】
前記組成物が９．５乃至１１．５のｐＨを有する、請求項１に記載の組成物。
【請求項３】
前記組成物が１０．５乃至１１．５のｐＨを有する、請求項２に記載の組成物。
【請求項４】
前記少なくとも一つのＥＤＴＡの塩が、０．２％ｗ／ｖ乃至１０．０％ｗ／ｖの濃度で存在している、請求項１に記載の組成物。
【請求項５】
前記少なくとも一つのＥＤＴＡの塩が、０．２％ｗ／ｖ乃至６．０％ｗ／ｖの濃度で存在している、請求項４に記載の組成物。
【請求項６】
前記少なくとも一つのＥＤＴＡの塩が、０．２％ｗ／ｖ乃至４．０％ｗ／ｖの濃度で存在している、請求項５に記載の組成物。
【請求項７】
前記溶液が、水、食塩水、アルコール、及びそれらの組み合わせ、からなる群から選択される、請求項１に記載の組成物。
【請求項８】
前記溶液が、水とエタノールの組み合わせである、請求項７に記載の組成物。
【請求項９】
前記溶液が、０．１％乃至１０％ｗ／ｖのエタノールを含む、請求項８に記載の組成物。
【請求項１０】
前記組成物が、プランクトン性形態または固着形態の細菌に対して抗細菌活性を有する、請求項１に記載の組成物。
【請求項１１】
前記組成物が：
（ａ）抗凝血活性；
（ｂ）真菌性病原菌に対する抗真菌活性；
（ｃ）原生動物感染症に対する阻害活性；
（ｄ）アメーバ感染症に対する阻害活性；
からなる群から選択される少なくとも一つの特性を有する、請求項１に記載の組成物。
【請求項１２】
溶液との再構成によって請求項１の組成物を形成する、請求項１の殺菌組成物の乾燥形態。
【請求項１３】
表面及び対象物への局所使用に適した、請求項１に記載の組成物の製剤。
【請求項１４】
長期間にわたって殺菌活性を示す、請求項１に記載の組成物の徐放性製剤。
【請求項１５】
溶液中に少なくとも一つのエチレンジアミン四酢酸（ＥＤＴＡ）の塩を含むロックフラッシュ組成物であって、
前記少なくとも一つのＥＤＴＡ塩は、少なくとも０．０１％ｗ／ｖであり且つ１５％ｗ／ｖ未満の濃度の四ナトリウムＥＤＴＡを含み、
前記ロックフラッシュ組成物は、少なくとも９．５のｐＨを有し、無菌及び発熱物質を含まない形態で包装され、そして、留置アクセスカテーテル、尿道カテーテル、鼻腔チューブ及び気管チューブでの使用について生体適合性である、前記組成物。
【請求項１６】
前記溶液が、水、食塩水、アルコール、及びそれらの組み合わせ、からなる群から選択される、請求項１２に記載の組成物。
【請求項１７】
少なくとも０．０１％ｗ／ｖであり且つ１５％ｗ／ｖ未満の濃度で、溶液中に三ナトリウムエチレンジアミン四酢酸（ＥＤＴＡ）及び四ナトリウムエチレンジアミン四酢酸（ＥＤＴＡ）を含む殺菌組成物であって、
前記殺菌組成物は、広いスペクトルの細菌に対して抗細菌作用を有し、少なくとも９．５のｐＨを有し、そして無菌及び発熱物質を含まない形態で包装される、前記組成物。
【請求項１８】
前記組成物が９．５乃至１１．５のｐＨを有する、請求項１７に記載の組成物。
【請求項１９】
前記組成物が１０．５乃至１１．５のｐＨを有する、請求項１７に記載の組成物。
【請求項２０】
前記少なくとも一つのＥＤＴＡの塩が、０．０２％ｗ／ｖ乃至１０．０％ｗ／ｖの濃度で存在している、請求項１７に記載の組成物。
【請求項２１】
前記少なくとも一つのＥＤＴＡの塩が、０．０２％ｗ／ｖ乃至６．０％ｗ／ｖの濃度で存在している、請求項２０に記載の組成物。
【請求項２２】
前記少なくとも一つのＥＤＴＡの塩が、０．０２％ｗ／ｖ乃至４．０％ｗ／ｖの濃度で存在している、請求項２１に記載の組成物。
【請求項２３】
前記溶液が、水、食塩水、アルコール、及びそれらの組み合わせ、からなる群から選択される、請求項１７に記載の組成物。
【請求項２４】
前記溶液が、水とエタノールの組み合わせである、請求項２３に記載の組成物。
【請求項２５】
前記溶液が、０．１％乃至１０％ｗ／ｖのエタノールを含む、請求項２３に記載の組成物。
【請求項２６】
前記組成物が、プランクトン性形態または固着形態の細菌に対して抗細菌活性を有する、請求項１７に記載の組成物。
【請求項２７】
表面または対象物を請求項１乃至２６のいずれか一項に記載の組成物と接触させることを含む、表面または対象物上若しくは対象物内部の少なくとも一つの望ましくない微生物の個体群の成長及び増殖を阻害するための方法。
【請求項２８】
前記望ましくない微生物が、細菌個体群、真菌性病原菌、原生動物個体群及びアメーバ個体群からなる群から選択される、請求項２７に記載の方法。
【請求項２９】
前記望ましくない微生物がアカントアメーバである、請求項２８に記載の方法。
【請求項３０】
前記表面または対象物が、カテーテル；医療用チューブ及び導管；血管内器具；埋め込まれた医療用器具；医療用または獣医科用装置；コンタクトレンズ；眼用埋め込み物；歯科用、矯正歯科用または歯周用の器具；水の保存、分配及び処理施設；工業用装置；及び食品生産及び加工装置、からなる群から選択される、請求項２７に記載の方法。
【請求項３１】
バイオフィルムを請求項１乃至２６のいずれか一項に記載の組成物と接触させることを含む、バイオフィルムの成長及び増殖を阻害するための方法。
【請求項３２】
請求項１乃至２６のいずれか一項に記載の組成物に浸漬されている、傷治療における使用のためのカバー。
【手続補正書】
【提出日】平成18年11月21日(2006.11.21)
【手続補正１】
【補正対象書類名】特許請求の範囲
【補正対象項目名】請求項１９
【補正方法】変更
【補正の内容】
【請求項１９】
少なくとも１種のビニル芳香族性炭化水素モノマーが、−メチルスチレン及び一般式
【化１】
2006526665.tif 000001
［式中、これらの基はそれぞれ互いに無関係に水素原子又は置換又は非置換のアルキル基、シクロアルキル基、アルキルシクロアルキル基、シクロアルキルアルキル基、アリール基、アルキルアリール基、シクロアルキルアリール基、アリールアルキル基又はアリールシクロアルキル基であるが、但し、置換基Ｒ１、Ｒ２、Ｒ３及びＲ４の少なくとも２つは少なくとも１つの非置換のアリール基、非置換のアリールアルキル基、非置換のアリールシクロアルキル基、置換のアリール基、置換のアリールアルキル基又は置換のアリールシクロアルキル基である］のビニル芳香族性炭化水素モノマー及びそれらの混合物からなる群から選択される、請求項１から１８までのいずれか１項記載の被覆組成物。
【手続補正書】
【提出日】平成19年2月2日(2007.2.2)
【手続補正１】
【補正対象書類名】特許請求の範囲
【補正対象項目名】全文
【補正方法】変更
【補正の内容】
【特許請求の範囲】
【請求項１】
塗料組成物であって、
（ａ１）以下の
（ａ１１）化学線照射によって活性化可能な結合を少なくとも１個含んで成る官能基を少なくとも２個、
（ａ１２）場合により、イソシアネート反応性官能基を少なくとも１個、および
（ａ１３）場合により、ヒドロキシル反応性官能基を少なくとも１個、
を含んで成っていて化学線照射によって重合する放射線硬化性成分、
（ａ２）成分（ａ３）の官能基と反応する官能基（ａ２１）を少なくとも２個含んで成っていて熱暴露によって重合する熱硬化性結合剤成分［ここで、成分（ａ２）の非揮発重量を基準にして少なくとも５重量％から１００重量％は、官能基（ａ２１）を少なくとも２個有していて０℃未満のガラス転移温度を示しかつ１当量当たり２２５グラムを超える当量重量を有する重合体である成分（Ｘ）である］、
（ａ３）前記官能基（ａ２１）と反応する官能基を少なくとも２個含んで成る熱硬化性架橋成分、および
（ａ４）場合により、少なくとも１種の反応性希釈剤、
を含んで成っていて化学線照射と熱エネルギー暴露の両方によって硬化する塗料組成物。
【請求項２】
成分（Ｘ）がポリエーテルジオール、ポリエーテルポリオール、ポリエステルジオールおよびポリエステルポリオールの中の少なくとも１種である請求項１記載の塗料組成物。
【請求項３】
成分（Ｘ）のホモ重合体が−２０℃未満、有利に−５０℃未満のガラス転移温度を有する請求項１記載の塗料組成物。
【請求項４】
前記ポリエーテルジオールがポリエチレンオキサイド、ポリプロピレンオキサイドおよびポリテトラヒドロフランの中の少なくとも１種である請求項２記載の塗料組成物。
【請求項５】
前記ポリエステルジオールがポリラクトンである請求項２記載の塗料組成物。
【請求項６】
成分（Ｘ）がポリテトラヒドロフランである請求項１記載の塗料組成物。
【請求項７】
前記熱硬化性結合剤成分（ａ２）がイソシアネート反応性官能基を少なくとも２個含んで成り、その際、有利に前記少なくとも２個のイソシアネート反応性官能基（ａ２１）がヒドロキシル基である請求項１記載の塗料組成物。
【請求項８】
前記熱硬化性架橋成分（ａ３）がイソシアネート基を少なくとも２個含んで成る請求項１記載の塗料組成物。
【請求項９】
前記少なくとも１個の官能基（ａ１２）がヒドロキシル基である請求項１記載の塗料組成物。
【請求項１０】
成分（ａ３）の少なくとも２個の官能基がイソシアネート基でありおよび官能基（ａ１２）と（ａ２１）の合計に対するイソシアネート基の比率が１．３未満である請求項１記載の塗料組成物。
【請求項１１】
前記熱硬化性結合剤成分（ａ２）が含有する芳香環部分が前記熱硬化性結合剤成分（ａ２）の非揮発重量を基準にして５重量％未満である請求項１記載の塗料組成物。
【請求項１２】
前記ヒドロキシル反応性官能基（ａ１３）がイソシアネート、アミノプラスト、エポキシ、シラン、環状無水物および環状ラクトンの中の少なくとも１種である請求項１記載の塗料組成物。
【請求項１３】
前記イソシアネート反応性官能基（ａ１２）がチオール基、第一級アミノ基、第二級アミノ基、イミノ基およびヒドロキシル基の中の少なくとも１種である請求項１記載の塗料組成物。
【請求項１４】
請求項１記載の前記塗料組成物を基体に塗布して膜を生じさせることを含んで成る方法。
【請求項１５】
更に前記膜に化学線を当てることも含んで成る請求項１４記載の方法。
【請求項１６】
更に前記膜に熱をかけることで塗装された基体を生じさせることも含んで成る請求項１５記載の方法。
【請求項１７】
更に追加的塗膜を少なくとも１層付着させることも含んで成る請求項１６記載の方法。
【請求項１８】
前記基体がプラスチックを含んで成り、その際、有利に前記基体が繊維強化プラスチック基体、特にＳＭＣまたはＢＭＣである請求項１４記載の方法。
【手続補正書】
【提出日】平成19年4月10日(2007.4.10)
【手続補正１】
【補正対象書類名】特許請求の範囲
【補正対象項目名】全文
【補正方法】変更
【補正の内容】
【特許請求の範囲】
【請求項１】
基板表面上に音響または振動減衰コーティングを形成するのに有用な組成物であって、
（ａ）８〜３０重量％の水と、
（ｂ）１０〜３０重量％の、少なくとも１つのポリマーIが０℃よりも高いＴgを有し、少なくとも１つのポリマーIIが弾性を有し０℃よりも低いＴgを有し、ポリマーIとポリマーIIの重量比が３：１〜１０：１である少なくとも２つの分散状ポリマーと、
（ｃ）３０〜６５重量％の、少なくとも１つの粒子状無機充填剤と、
（ｄ）０．５〜５重量％の、５〜５０ミクロンの範囲の平均粒径および７０〜１４０℃の範囲の膨張開始温度を有する膨張性微小球と
を含む組成物。
【請求項２】
前記少なくとも１つのポリマーが、スチレン／アクリレートコポリマー、スチレン／ブタジエンコポリマーおよびポリウレタンからなる群から選択されたものである請求項１に記載の組成物。
【請求項３】
少なくとも１つの増粘剤をさらに含む請求項１に記載の組成物。
【請求項４】
少なくとも１つのグリコールをさらに含む請求項１に記載の組成物。
【請求項５】
少なくとも１つの界面活性剤をさらに含む請求項１に記載の組成物。
【請求項６】
少なくとも１つの消泡剤をさらに含む請求項１に記載の組成物。
【請求項７】
少なくとも１つの着色剤をさらに含む請求項１に記載の組成物。
【請求項８】
前記少なくとも１つの粒子状無機充填剤が、雲母、タルク、炭酸カルシウム、黒鉛、硫酸バリウム、ドロマイトおよび石灰石からなる群から選択されたものである請求項１に記載の組成物。
【請求項９】
前記膨張性微小球を０．８〜３重量％含む請求項１に記載の組成物。
【請求項１０】
前記少なくとも１つのポリマーがポリウレタンである請求項１に記載の組成物。
【請求項１１】
前記少なくとも１つのポリマーが、スチレンおよび１，３−ブタジエンのコポリマーである請求項１に記載の組成物。
【請求項１２】
前記少なくとも１つのポリマーが、スチレン、アクリル酸ｎ−ブチルおよび必要に応じてアクリロニトリルのコポリマーである請求項１に記載の組成物。
【請求項１３】
前記少なくとも１つのポリマーが、０〜４０℃のＴgを有するアクリル樹脂である請求項１に記載の組成物。
【請求項１４】
基板表面上に音響または振動減衰コーティングを形成する方法であって、
（ａ）前記基板表面上に請求項１に記載の組成物の層を形成することと、
（ｂ）前記層を、前記層を乾燥させるのに有効かつ前記膨張性微小球の体積を増加させるのに有効な時間および温度で加熱することと
を含む方法。
【請求項１５】
基板上に音響または振動減衰コーティングを形成するのに有用な組成物であって、
（ａ）１０〜３０重量％の、少なくとも１つのポリマーIが０℃よりも高いＴgを有し、少なくとも１つのポリマーIIが弾性を有し０℃よりも低いＴgを有し、ポリマーIとポリマーIIの重量比が３：１〜１０：１である、アクリル樹脂、スチレン／ブタジエンコポリマー、ポリウレタンおよびこれらの混合物からなる群から選択された少なくとも２つの分散状ポリマーと、
（ｂ）８〜３０重量％の水と、
（ｃ）３０〜６５重量％の、雲母、タルク、炭酸カルシウム、黒鉛、硫酸バリウム、ドロマイト、石灰石およびこれらの混合物からなる群から選択された１つ以上の粒子状無機充填剤と、０．５〜５重量％の、５〜５０ミクロンの範囲の平均粒径および７０〜１４０℃の範囲の膨張開始温度を有する膨張性微小球と
を含む組成物。
【請求項１６】
薄い剛性基板表面上に音響または振動減衰コーティングを形成する方法であって、
（ａ）前記基板表面上に請求項１５に記載の組成物の層を形成することと、
（ｂ）前記層を、前記層を乾燥させるのに有効かつ前記膨張性微小球の体積を増加させるのに有効な時間および温度で加熱することと
を含む方法。
【請求項１７】
基板上に音響または振動減衰コーティングを形成するのに有用な組成物であって、
（ａ）１２〜２５重量％の、少なくとも１つのポリマーIが０℃よりも高いＴgを有し、少なくとも１つのポリマーIIが弾性を有し０℃よりも低いＴgを有し、ポリマーIとポリマーIIの重量比が３：１〜１０：１である、アクリル樹脂、スチレン／ブタジエンコポリマー、ポリウレタンおよびこれらの混合物からなる群から選択された少なくとも２つの分散状ポリマーと、
（ｂ）１２〜２５重量％の水と、
（ｃ）４０〜６０重量％の、雲母、タルク、炭酸カルシウム、黒鉛、硫酸バリウム、ドロマイト、石灰石およびこれらの混合物からなる群から選択された１つ以上の粒子状無機充填剤と、
（ｄ）０．８〜３重量％の、７０〜１４０℃の膨張開始温度および５〜５０ミクロンの範囲の平均粒径を有する膨張性微小球と、
（ｅ）０．１〜０．６重量％の１つ以上の界面活性剤と、
（ｆ）５〜２０重量％の、グリコール、グリコールオリゴマー、グリコールのモノアルキルエーテル、グリコールオリゴマーのモノアルキルエーテルおよびこれらの混合物からなる群から選択された１つ以上の水混和性溶媒と、
（ｇ）０．１〜０．５重量％の１つ以上の消泡剤と、
（ｈ）０．１〜０．８重量％の１つ以上の増粘剤と
を含む組成物。
【請求項１８】
金属基板表面上に音響または振動減衰コーティングを形成する方法であって、
（ａ）前記金属基板表面上に請求項１５の組成物の層を形成することと、
（ｂ）前記層を、前記層を乾燥させるのに有効かつ前記膨張性微小球の体積を増加させるのに有効な時間および温度で加熱することと
を含み、
前記層は、乾燥膨張時に１０００〜５０００ミクロンの厚みを形成するのに十分である
方法。